(57)【要約】【課題】電池の交換や電池の接続作業を容易に行うことができるものとする。【解決手段】上面にあって上方側に開口する凹所としての電池収納部２と、この電池収納部２全体を覆う開閉自在なカバー１２とを備える。電池３を収納する電池収納部２内に配されて電池３と電気的に接続される端子２４は、リード線２３によって他の電気部に接続されているとともに電池収納部２から引き出し可能となっている。【選択図】図１
2015118860.tif 000002
【特許請求の範囲】
【請求項１】
上面にあって上方側に開口する凹所としての電池収納部と、この電池収納部全体を覆う開閉自在なカバーとを備えており、電池を収納する電池収納部内に配されて電池と電気的に接続される端子は、リード線によって他の電気部に接続されているとともに電池収納部から引き出し可能となっていることを特徴とする便器装置。
【請求項２】
上記電池は、ケースに収められて上記電池収納部にケースごと収納されることを特徴とする請求項１記載の便器装置。
【請求項３】
上記電池収納部は、上記電池と上記端子とが接続されていない状態での上記電池の収納を可能とする大きさを有するものであることを特徴とする請求項１または２記載の便器装置。
【発明の詳細な説明】
【技術分野】
【０００１】
本発明は、便器装置、殊に電池を内蔵している便器装置に関するものである。
【背景技術】
【０００２】
商用電源の接続を不要とするために大容量電池を内蔵させた便器装置が特許文献１に示されている。この便器装置では、側面に電池収納部を設けており、電池交換に際しては、電池収納部から電池保持ケースを抜き出し、電池保持ケース内の電池を入れ換えた後、電池保持ケースを電池収納部に側方から電池収納部に収納する。
【先行技術文献】
【特許文献】
【０００３】
【特許文献１】実開平７−２３０７１号公報
【発明の概要】
【発明が解決しようとする課題】
【０００４】
しかしながら、狭いトイレルーム内で電池交換を行う場合、便器装置の側面にある電池収納部の位置が良く見えないことから、便器装置を抱え込むような体勢で電池保持ケースの抜き差しを行うことになり、作業が非常に困難であった。
【０００５】
また、電池が停電時の動作補償用で、電池の装着や交換を行うのが停電時である場合、暗闇や懐中電灯等の灯りを頼りに作業を行うことになるために、なおさら作業が困難となる。
【０００６】
本発明は上記従来の問題点に鑑みたもので、電池の交換や電池の接続作業を容易に行うことができる便器装置を提供することを課題とするものである。
【課題を解決するための手段】
【０００７】
本発明にかかる便器装置は、上面にあって上方側に開口する凹所としての電池収納部と、この電池収納部全体を覆う開閉自在なカバーとを備えており、電池を収納する電池収納部内に配されて電池と電気的に接続される端子は、リード線によって他の電気部に接続されているとともに電池収納部から引き出し可能となっていることに特徴を有している。
【０００８】
上記電池は、ケースに収められて上記電池収納部にケースごと収納されることが好ましく、また、上記電池収納部は、上記電池と上記端子とが接続されていない状態での上記電池の収納を可能とする大きさを有するものであることが好ましい。
【発明の効果】
【０００９】
本発明によれば、電池収納部が上面にある上に上方側に開口しているために、暗くて狭いトイレスペース内においても、容易に電池の装着や交換を行うことができるものであり、特に電池に接続される端子をリード線によって電池収納部から引き出し可能としていることから、電池と端子との接続作業も容易なものである。
【図面の簡単な説明】
【００１０】
【図１】本発明の実施の形態の一例における電池接続作業時の状態を示す要部斜視図である。
【図２】同上の斜視図である。
【図３】同上のカバーを開いた状態の斜視図である。
【図４】同上の電池収納部を示す斜視図である。
【図５】同上のケースの斜視図である。
【図６】同上のケースの分解斜視図である。
【図７】同上のケースの他例の斜視図である。
【図８】同上のケースを電池収納部に収めた状態の斜視図である。
【図９】同上のケースを電池収納部に収めた状態の平面図である。
【図１０】同上の電池接続作業時の状態を示す要部斜視図である。
【発明を実施するための形態】
【００１１】
本発明の便器装置は、上面にあって上方側に開口する凹所としての電池収納部２と、この電池収納部２全体を覆う開閉自在なカバー１２とを備える。そして、電池３を収納する電池収納部２内に配されて電池３と電気的に接続される端子２４は、リード線２３を介して他の電気部に接続されているとともに電池収納部２から引き出し可能となっている。
【００１２】
上記電池３は、ケース４に収められて上記電池収納部２にケース４ごと収納されるものを好適に用いることができる。
【００１３】
また、上記電池収納部２は、上記電池３と上記端子２４とが接続されていない状態での上記電池３の収納を可能とする大きさを有するものであることが好ましい。
【００１４】
以下、本発明の一実施形態について説明すると、図２及び図３に示す便器装置１は、その前部内にボウルを備えた水栓便器であり、ボウルの上方側には便座及び弁蓋１１を備えている。また、後部は洗浄水用のバルブやターントラップ機構、局部洗浄機等の機構及びこれらを制御する制御部を内蔵している。
【００１５】
便器装置１の後部上面に配したカバー１２は、図３に示すヒンジ１３によって回動自在となっており、このカバー１２を開けば、電池収納部２と洗浄液タンク１４、操作パネル１５等が露出する。なお、便器装置１の使用に際しては、通常、リモートコントロール型の別途操作器を用いて、操作を行う。このために、操作パネル１５は操作器が操作不能な場合のための存在である。また、上記洗浄液タンク１４は、ボウル洗浄用の洗浄水に付加する洗浄液を貯めるためのものである。
【００１６】
上記の各部材や機構は既に公知のものであることから、ここでは説明を省略し、本発明に係る電池収納部２についてのみ詳述する。ちなみに、ここで示す便器装置１は、商用電源に接続されて商用電源で動作するものであり、電池収納部２に収納する電池は、停電時の動作補償用である。また、日本での電力事情では停電となる虞は非常に低く、このために電池を接続したままで長期間放置してしまうことが想定される。これは電池の液漏れを招く要因となる。このために、ここで示す電池収納部２は、電池が液漏れを起こすことを想定した構成としている。
【００１７】
図４に便器装置１の後部上面に設けた上方側に開口する電池収納部２を示す。便器装置１の後部上面に有底の凹所を形成することで設けた電池収納部２は、第１収納部２１と、第１収納部２１に隣接する第２収納部２２とからなる。第１収納部２１は、リード線２３によって便器装置１内部の回路に接続されたスナップ型端子２４を収納するもので、リード線２３の引き出し口の周囲には上方に立ち上がる壁２５を備えている。この壁２５は、電池収納部２に水が入っても、上記引き出し口から便器装置１本体内に水が侵入することを防ぐ。
【００１８】
第２収納部２２は電池３を収納するスペースで、第２収納部２２に収納される電池３は、図５及び図６に示すように、ケース４に入れた状態で第２収納部２２に収められる。二つ割で形成されるとともに内部に電池３を収めるケース４は、水密構造であり、外部からのケース４内への水の侵入を防ぐとともに、ケース４内に入れた電池３が液漏れを起こしても、電解液がケース４外に漏れることを防ぐ。また、ここで示したケース４は、ケース４内の電池３のスナップ型電極３１にリード線４１を介して接続されたスナップ型端子４２を備えている。
【００１９】
従って、電池３の接続は、カバー１２を開いて電池収納部２を露出させ、第２収納部２２に納まっているケース４を取り出して、ケース４内に電池３を入れた後、第１収納部２１に位置している端子２４にケース４の端子４２を接続することで行う。この時、端子２４が凹所である第１収納部２１に納まったままでは接続作業が困難なことから、図１に示すように、端子２４を電池収納部２から取り出した状態で行えるようにしている。つまり、リード線２３には端子２４を電池収納部２から引き出せるだけの長さを有するものを用いている。
【００２０】
端子２４とケース４の端子４２との接続が終われば、これらを電池収納部２に戻し、カバー１２を閉じればよい。電池収納部２が便器装置１の上面側にある上に、電池３の接続作業を電池収納部２という凹所内で行わなくても済むために、停電で暗く且つ狭いトイレスペース内においても接続作業を容易に行うことができる。
【００２１】
また、電池３を接続した状態のままで長期間放置することで電池３が液漏れを起こしても、電池３はケース４内にあるために、漏れた電解液が電池収納部２内に広がってしまうことはなく、漏液による腐食が端子４２，２４にまで及ぶこともない。
【００２２】
なお、電池収納部２における少なくとも第１収納部２１には、図３に示すように、着脱自在な蓋２８を被せておくことが好ましい。カバー１２を開いて洗浄液タンク１４に洗浄液を補充する際に、誤って端子２４を濡らしてしまったり、リード線２３の引き出し口から洗浄液が内部に入ってしまうことを防ぐことができる。
【００２３】
電池３を収めるケース４の端子４２は図７に示すように、ケース４と一体に設けたものであってもよい。この場合、電池３が液漏れした時の被害が端子２４にまで及ぶことがないように、商用電源で作動させている通常時は、図８及び図９に示すように、ケース４を第２収納部２２における第１収納部２１から離れたところに置いて、端子２４には接続しない状態としておくことが好ましい。このために、第２収納部２２の長手方向寸法を電池３（ケース４）の長手方向寸法よりも長くして、端子２４と接続しない状態で電池３を収納しておくことができるようにしている。
【００２４】
このものでは、停電となった時に端子２４に電池３を接続する。もちろん、本例においても、図１０に示すように、端子２４を第１収納部２１から取り出した状態で電池３（ケース４）を接続することで接続作業を容易に行うことができる。
【００２５】
なお、端子２４としてスナップ型を用いていることから、ケース４に入れていない電池３を直接端子２４に接続することも可能である。ケース４内に入れた電池３が液漏れすることでケース４の端子４２が腐食している時には、別途用意した新しい電池３の直結で停電時の動作を補償することができる。
【００２６】
上記の各例では、電池３が所謂９Ｖ角型電池である場合を示したが、電池３はどのような形態のものであってもよい。ただし、液漏れによる損傷を防ぐために、ケース４内に収めた状態で第２収納部２２に収納するものが好ましい。例えば、６本の単４乃至単３型電池を直列接続するケース４に収めて用いるのである。この時、ケース４は、上記の例で示したようなスナップ型端子４２を備えたものとするのが好ましい。
【符号の説明】
【００２７】
１  便器装置
２  電池収納部
３  電池
４  ケース
１２  カバー
２３  リード線
２４  端子
【図１】
2015118860.tif 000003
【図２】
2015118860.tif 000004
【図３】
2015118860.tif 000005
【図４】
2015118860.tif 000006
【図５】
2015118860.tif 000007
【図６】
2015118860.tif 000008
【図７】
2015118860.tif 000009
【図８】
2015118860.tif 000010
【図９】
2015118860.tif 000011
【図１０】
2015118860.tif 000012